(57)【特許請求の範囲】
【請求項１】
メタン発酵槽と前記メタン発酵槽からのメタン発酵消化液に含まれるアンモニアを除去するアンモニア除去装置を備えたメタン発酵システムにおけるリン酸マグネシウムアンモニウム生成抑制システムであって、
前記メタン発酵システムは前記アンモニア除去装置でアンモニアを除去したメタン発酵消化液を前記メタン発酵槽に戻すように構成され、
前記アンモニア除去装置からのメタン発酵消化液に炭酸ガスを溶解させる炭酸ガス溶解装置を設け、
前記炭酸ガス溶解装置の後段にメタン発酵消化液を冷却する冷却装置を備え、前記冷却装置で冷却したメタン発酵消化液を前記メタン発酵槽に戻すようにしたことを特徴とするリン酸マグネシウムアンモニウム生成抑制システム。
【請求項２】
請求項１において、前記アンモニア除去装置はアンモニア放散塔を含み、前記アンモニア放散塔で発生した炭酸ガスを前記炭酸ガス溶解装置に供給するようにしたことを特徴とするリン酸マグネシウムアンモニウム生成抑制システム。
【請求項３】
請求項２において、前記メタン発酵槽と前記アンモニア放散塔との間にメタン発酵消化液を加熱する加熱器を設けたことを特徴とするリン酸マグネシウムアンモニウム生成抑制システム。
【請求項４】
請求項２又は３において、前記アンモニア放散塔は該アンモニア放散塔に接続する配管を除いて密閉構造としたことを特徴とするリン酸マグネシウムアンモニウム生成抑制システム。
【請求項５】
請求項１において、前記炭酸ガス溶解装置に炭酸ガスボンベから炭酸ガスを供給するようにしたことを特徴とするリン酸マグネシウムアンモニウム生成抑制システム。
【請求項６】
請求項１において、前記メタン発酵槽で発生したバイオガスを前記炭酸ガス溶解装置に供給するようにしたことを特徴とするリン酸マグネシウムアンモニウム生成抑制システム。
【請求項７】
メタン発酵槽と、前記メタン発酵槽からのメタン発酵消化液に含まれるアンモニアを除去するアンモニア除去装置と、前記アンモニア除去装置からのメタン発酵消化液に炭酸ガスを溶解させる炭酸ガス溶解装置と、前記炭酸ガス溶解装置からのメタン発酵消化液を冷却する冷却装置を備え、前記冷却装置で冷却したメタン発酵消化液を前記メタン発酵槽に戻すようにしたことを特徴とするメタン発酵システム。
【請求項８】
メタン発酵槽と、
前記メタン発酵槽にメタンガス生成用原料となる有機性廃棄物を送る前に、この原料に含まれる窒素成分をアンモニアに転換するアンモニア発酵槽と、アンモニア転換処理された原料を嫌気雰囲気の下で循環させながら原料中に含まれるアンモニアを第１段階の濃度レベルでガス化除去する第１の閉鎖循環系アンモニア除去装置とを有する第１のアンモニア除去システムと、
前記第１のアンモニア除去システムから前記メタン発酵槽に前記原料が送られ、前記メタン発酵槽で前記原料の可溶化が進行したメタン発酵消化液の一部を、メタン発酵槽外に取り出して嫌気雰囲気の下で循環させながら前記メタン発酵消化液中に含まれるアンモニアをガス化除去し、その後、前記メタン発酵槽に戻し、このようなメタン発酵消化液の一部のメタン発酵槽外取り出し、アンモニア除去、およびメタン発酵槽内戻しを繰り返して、メタン発酵槽内の原料のアンモニアを前記第１段階の濃度レベルよりも濃度が低い第２段階の濃度レベルまで除去する第２の閉鎖循環系アンモニア除去装置を有する第２のアンモニア除去システムと、
前記第２の閉鎖循環系アンモニア除去装置でアンモニアが除去されたメタン発酵消化液を前記メタン発酵槽に戻す前に炭酸ガスをアンモニアが除去されたメタン発酵消化液に溶解させる炭酸ガス溶解装置と、
前記炭酸ガス溶解装置の後段に設けられ、メタン発酵消化液を冷却する冷却装置とを備え、前記冷却装置で冷却したメタン発酵消化液を前記メタン発酵槽に戻すようにしたことを特徴とするメタン発酵システム。
【発明の詳細な説明】
【技術分野】
【０００１】
本発明は、リン酸マグネシウムアンモニウム生成抑制システム及びメタン発酵システムに係り、特に、畜糞メタン発酵システムのアンモニア放散塔に好適なリン酸マグネシウムアンモニウム生成抑制システムとメタン発酵システムに関する。
【背景技術】
【０００２】
家畜の排泄物、食品廃棄物等の有機性廃棄物をメタン生成菌のような微生物によりメタン発酵処理してメタンガスを含む有用なバイオガスを生成する技術が広く提案されている。また、メタン発酵後の消化液の処理として過剰分のアンモニアを除去する技術や、メタン発酵の阻害となるアンモニアを事前に除去する技術が種々提案されている。
【０００３】
例えば、アンモニア除去技術として、特許文献１（特開2009-66557号公報）では、メタン発酵後の消化液の処理のために、メタン発酵槽から抜き出される消化液をアンモニアストリッピング装置に導入しアンモニア除去を行い、アンモニア除去された消化液（脱窒消化液）を、貯蔵タンクに移し、貯蔵タンクに設けたドレンバルブから有機性排水として排出する技術を提案している。また、アンモニア回収工程では、ガス状あるいはミスト状となったアンモニアを凝縮器に蓄えた水に吸収させてアンモニア水として回収している。回収されたアンモニア水は脱窒処理されて一部が凝縮器に戻され再びアンモニア吸収水として利用されるようにしている。
【０００４】
また、特許文献２（特開2001-113265号公報）では、メタン発酵槽の前段において廃水中からアンモニアを効率良く安価に除去するため、窒素含量の高い有機性排水・汚泥からアンモニアを除去するアンモニアストリッピング工程と、アンモニアストリッピング工程において前処理した有機性排水・汚泥をメタン発酵させるメタン発酵工程とを有し、アンモニアストリッピング工程において、熱交換器を通して７０〜９９℃に温度調整した有機性排水・汚泥に、ｐＨ調整剤として電気分解装置で生成した電解水からなる強アルカリ液を添加することによりｐＨ９〜１３にｐＨ調整してアンモニアストリッピングすることが提案されている。
【先行技術文献】
【特許文献】
【０００５】
【特許文献１】特開2009-66557号公報
【特許文献２】特開2001-113265号公報
【発明の概要】
【発明が解決しようとする課題】
【０００６】
本出願人は、先に、メタン生成原料が高濃度窒素含有の家畜排出物等であっても、アンモニア除去の処理効率を高め、特にアンモニア除去の処理時間の短縮化とメタン発酵槽の排水量の低減を図ることができ、さらにアンモニアストリッピング方式を採用した場合であっても、脱酸素手段を不要とする技術を提案している（特願2010-194594号、2010年8月31日出願）。
【０００７】
この提案では、アンモニア転換処理された原料を第１の閉鎖循環系アンモニア除去装置に導入して嫌気雰囲気の下で該装置にて循環させながら原料中に含まれるアンモニアをメタン発酵の最終目標の濃度に至らない濃度レベルでガス化除去し、第１段階のアンモニア除去工程で処理された原料をメタン発酵槽に送り、メタン発酵工程と並行して、メタン発酵槽に送られた原料の一部を、メタン発酵槽外の第２の閉鎖循環系アンモニア除去装置に取り出して、嫌気雰囲気の下で該装置にて循環させながら原料中に含まれるアンモニアを最終目標濃度になるまでガス化除去した後、メタン発酵槽に戻すようにしている。
【０００８】
この提案によれば、メタン生成原料が高濃度窒素含有の家畜排出物等の有機廃棄物であっても、アンモニア除去をメタン発酵前処理とメタン発酵工程で並行処理することが可能となり、アンモニア除去処理の時間短縮、コスト低減を図ることができる。しかも原料を無加水（無希釈）或いは希釈率を低くしても、許容の濃度レベルまでアンモニアを除去でき、メタン発酵槽の排水量の低減を図ることができる。さらにアンモニア除去手段として、アンモニアストリッピング方式を採用した場合であっても、閉鎖循環系による嫌気性雰囲気でのアンモニア除去を可能にするので、脱酸素手段を不要とし、設備コストの低減を図ることができる。
【０００９】
しかしながら、本発明者等の更なる検討によれば、メタン発酵消化液中に含まれるリン酸マグネシウムアンモニウム（以下、ＭＡＰと称する）に起因してスケールが生成し、配管を閉塞する等して機械的トラブルの主要な原因となることが判明した。このＭＡＰに起因するスケールの生成は、避けられないという認識のもとに、装置などを洗浄しやすい構造とすることも考えられる。しかし、本出願人が提案したシステムでは、アンモニア除去装置でアンモニアを除去したメタン発酵消化液をメタン発酵槽に戻す構成としているため、ＭＡＰに起因するスケールが生成しやすく、スケール除去の頻度が多くなる。
【００１０】
また、ＭＡＰに起因するスケールの生成は、メタン発酵システムに限らず、排水処理設備などでの脱窒処理においても起こり得る。
【００１１】
なお、特許文献１や特許文献２では、ＭＡＰ生成に起因するスケールの生成について考慮されていない。
【００１２】
本発明の目的は、ＭＡＰに起因するスケールの生成を抑制することができるリン酸マグネシウムアンモニウム生成抑制システム及びメタン発酵システムを提供することにある。
【課題を解決するための手段】
【００１３】
本発明は、メタン発酵消化液に炭酸ガスを溶解させて冷却してからメタン発酵槽に戻すようにすることを特徴とする。
【００１４】
炭酸ガスをメタン発酵消化液に溶解させる方法としては、脱アンモニアの過程で発生した炭酸ガスを再利用してメタン発酵消化液に溶解させる方法、炭酸ガスボンベからの炭酸ガスを溶解させる方法、メタン発酵槽からのバイオガスの一部を導入してバイオガスに含まれる炭酸ガスを溶解させる方法などがある。
【発明の効果】
【００１５】
本発明によれば、メタン発酵消化液に炭酸ガスを溶解させて冷却してからメタン発酵槽に戻すようにしているので、ｐＨが低下し、ＭＡＰ析出の要因の一つであるＰＯ４３−が減少し、その結果、ＭＡＰ析出（ＭＡＰスケール生成）を抑制することができる。
【図面の簡単な説明】
【００１６】
【図１】本発明が適用されるメタン発酵システムの一例を示す全体概要図。
【図２】図１のシステムにおける第１段階アンモニア除去工程を実行する第１の閉鎖循環系アンモニア除去装置を示す概要図。
【図３】図１のシステムにおける第２段階アンモニア除去工程を実行する第２の閉鎖循環系アンモニア除去装置を示す概要図。
【図４】本発明の実施例１のＭＡＰ生成抑制システムの概要図。
【図５】本発明の実施例２のＭＡＰ生成抑制システムの概要図。
【図６】本発明の実施例３のＭＡＰ生成抑制システムの概要図。
【発明を実施するための形態】
【００１７】
本発明の実施の形態を、図面を用いて説明する。
【００１８】
先ず、本発明のＭＡＰ生成抑制システムの実施例を詳細説明する前に、本発明が適用されるメタン発酵システム（畜糞メタン発酵システム）について説明する。このメタン発酵システムは、本出願人が特願2010-194594号で提案したシステムと基本的に同一である。
【００１９】
図１は、メタン発酵システムの一例を示す全体概要図、図２は、そのシステムにおける第１段階アンモニア除去工程を実行する第１の閉鎖循環系アンモニア除去装置の概要図、図３は、そのシステムにおける第２段階アンモニア除去工程を実行する第２の閉鎖循環系アンモニア除去装置の概要図である。
【００２０】
本システムは、大別すると、図１に示すように、メタン生成原料となる有機性廃棄物を投入する原料投入装置１と、第１段階アンモニア除去工程を実行するシステム１０１と、第２段階アンモニア除去工程を実行するシステム１０２と、周辺装置（１２〜１７）よりなる。
【００２１】
本実施例に係るアンモニア除去システムでは、メタン生成原料として、鶏糞などの家畜排泄物のように高窒素濃度有機物を使用する場合であっても、アンモニア除去効率を高め（アンモニア除去工程の時間短縮化）且つ全体システムの水処理量（希釈水量）や排水量を効果的に減少させ、しかも熱エネルギーなどのコストの低減化を図ることを意図して、次のような処理がなされる。
【００２２】
第１段階のアンモニア除去システム１０１では、まずアンモニア転換工程が実行される。アンモニア転換工程では、メタン生成原料である高窒素含有の有機性廃棄物は、メタン発酵槽７に送る前の処理の段階で、アンモニア発酵槽２にて原料は分解が進行して液状化（可溶化）する。
【００２３】
可溶化された原料に含まれる窒素成分は、アンモニア発酵槽２にて、アンモニア生成を行う性質を有する嫌気性の微生物等によりアンモニアに転換される。微生物については、既に多くの文献で開示され周知であるので、説明を省略する。アンモニア転換工程では、適切な転換温度（例えば室温〜８０℃程度）と攪拌条件を維持することにより、ｐH調整等の薬品を使用しないで、24時間以内でのアンモニア転換が可能である。
【００２４】
高濃度窒素含有の有機廃棄物のアンモニア除去及びメタン発酵の処理効率を高めるために、本実施例では、メタン発酵処理前の第１段階アンモニア除去システム（原料アンモニア除去システム）１０１と後述のメタン発酵工程における第２段階のアンモニア除去システム（発酵液／消化液アンモニア除去システム）１０２とを併用する。このように二段階のアンモニア除去システムを組合わせることで効率化と熱エネルギーなどのコスト低減化を図る。
【００２５】
すなわち、
（イ）第１段階アンモニア除去システム１０１は、アンモニア発酵槽２でアンモニア転換処理された原料を、第１の閉鎖循環系アンモニア除去装置（３、４）に導入して嫌気雰囲気の下で循環させながら原料中に含まれるアンモニアを、メタン発酵の最終目標の濃度レベルに至らない濃度レベル（第１段階濃度レベル）でガス化除去する。例えば、材料が鶏糞のように含有窒素濃度が非常に高く、転換された当初アンモニア濃度が 9000mg／Ｌ程度ある場合には、6000mg／Ｌ程度になるまでアンモニア除去を行う。第１の閉鎖循環系アンモニア除去装置（３、４）の構成については、後述するが、それは嫌気性雰囲気の下、メタン発酵槽温度〜８０℃の温度で実行される。
【００２６】
第１段階のアンモニア除去システム１０１は、アンモニア転換工程とアンモニア除去工程を２つの工程で行うが、同時に実施することも可能である。
【００２７】
（ロ）前記第１段階のアンモニア除去工程（システム１０１）で処理された原料は、メタン発酵槽７に導入され、可溶化が進行した状態にある原料（メタン発酵液）の一部が、メタン発酵槽外の第２の閉鎖循環系アンモニア除去装置（１０、１１）に取り出される。取り出されたメタン発酵液は、アンモニア除去装置（１０、１１）にて嫌気雰囲気の下で循環し、その循環過程でメタン発酵液に含まれるアンモニアがメタン発酵を阻害しない許容濃度レベル（例えば3000mg／L以下）に至るまでガス化除去される。アンモニア除去処理されたメタン発酵液は、メタン発酵槽７に戻される。第２の閉鎖循環系アンモニア除去装置（１０、１１）の構成については、後述するが、それは第１の閉鎖循環系アンモニア除去装置同様に嫌気性雰囲気の下でメタン発酵槽温度〜８０℃の温度で運転される。
【００２８】
また、本実施例では、第２の閉鎖循環系アンモニア除去装置に、さらに、炭酸ガス溶解装置２００と冷却装置３００を設けている。詳細については後述する。
【００２９】
両アンモニア除去システム１０１、１０２は、当初は第１段階のシステム１０１が必然的に運転され、その後に第２段階のシステム１０２に第１段階のアンモニア除去工程で処理された原料が送られ、さらに第１段階のシステム１０１にアンモニア発酵槽２から原料が供給されれば、以後、両システムを並行に運転可能であり、このようにすれば、アンモニア除去処理効率を高めることができる。
【００３０】
ここで、第１、第２段階のアンモニア除去システムの具体的構成を、図１および図２、図３にしたがって説明する。
【００３１】
第１段階のアンモニア除去システム１０１に用いる第１の閉鎖循環系アンモニア除去装置は、アンモニア放散塔３とアンモニアスクラバー４とを有する。可溶化した原料に含まれるアンモニアをガス化する放散塔３としては、モレタナ、充填塔、スプレー方式が有力であるが、その中でもスプレー方式が好ましい。ここでは、スプレー方式を一例として説明する。
【００３２】
スプレー方式では、前もってアンモニア発酵槽２にて含有窒素がアンモニア転換された可溶化原料が、配管２０、開弁制御された原料供給弁２１、配管２３を介して且つポンプ２２の駆動によりアンモニア放散塔３に供給され、アンモニア放散塔３の下部に貯留する。このとき、発酵槽７に通じる原料供給弁２５は閉じた状態にある。
【００３３】
アンモニア放散塔３の下部に原料が貯留すると、弁２１が閉じ、弁２４が開き操作或いは制御がなされる。この状態で、ポンプ２２を駆動させ、またアンモニアスクラバー４の駆動ポンプ２６を駆動させ、アンモニアスクラバー４から硫安タンク５に通じる弁２７は閉状態になるよう操作される。この状態で、アンモニア放散塔３の下部に貯留された可溶化原料（アンモニア転換済原料）４０は、図２に示すように、ポンプ２２、配管２３を介して放散塔３の上部から内部にシャワー状に放出（有機廃棄物シャワー）されるとともに、アンモニア放散塔３の下からは、スクラバー４からファン２８、配管２９を介して送り込まれる嫌気性雰囲気ガス（このガスは、当初は空気であり酸素も含まれるが、閉鎖系の放散塔３とスクラバー４との間で循環するので、循環していくうちに炭酸ガス、アンモニアガス、水蒸気が主流となり、嫌気性雰囲気ガスとなる）が送り込まれる。それによりシャワー状（液滴状：飛沫状、粒状）の原料と嫌気性雰囲気ガスが気液接触することで、気液接触表面積が拡大することによりアンモニアを効率良くガス化する。ガス化したアンモニアは、アンモニアススクラバー４に送られ、スクラバー４でアンモニアが除去された後の嫌気性雰囲気ガスがアンモニア放散塔３へファン２８及びガス循環系配管２９を介して送られ、このようにして、嫌気性雰囲気ガスが２塔間を循環する。
【００３４】
アンモニアスクラバー４は、アンモニアを中和するための酸性液（例えば硫酸）４１が入れ替え可能に貯留し、ポンプ２６及び配管３２を介して循環する酸性液４１のシャワー（酸性洗浄）でアンモニアを捕集する。アンモニアスクラバー４で捕集した酸性液４１は薬液注入ユニット（図示省略）で例えばｐH３〜４またはそれ以下にコントロールされる。アンモニア除去によりアンモニア転換済原料中のアンモニア濃度が前述の第1段階濃度レベルまで低下した段階で、第１のアンモニア除去工程は完了し、メタン発酵槽７に通じる弁２５が開き、ポンプ２２の駆動によりアンモニア放散塔３内の原料がメタン発酵槽７に送られる。また、スクラバー４の下部の硫安液を交換する場合には下部に設けた弁２７が開き、硫安は、ポンプ３０を介して硫安タンク５に送られて貯蔵され、肥料等の原料にされる。
【００３５】
上記の第１段階のアンモニア除去工程において、閉鎖循環系アンモニア除去装置を構成するアンモニア放散塔３とアンモニアスクラバー４は、ヒータ及び温度センサ（いずれも図示省略）を備え、両者間は、温度制御装置３１でメタン発酵槽温度〜80℃の等温で制御されている。また、アンモニア放散塔３とアンモニアスクラバー４とは、外気から閉鎖された閉鎖循環系を構成するほかに、各塔内が気液平衡状態に保たれている。したがって、閉鎖循環系は、等温・気液平衡状態にあるので、放散塔３・スクラバー４の両者間での熱交換（蒸発、凝縮）が抑制されている。したがって、アンモニア放散塔３での水分の蒸発或いは凝縮を抑えて可溶化原料の水分の変動を抑え、アンモニアスクラバー４での水分の蒸発或いは凝縮を抑え、中和水濃度の変動を抑えることができる。すなわち、放散塔・スクラバー間のエネルギー消費を抑える。
【００３６】
なお、メンテナンスなどで系内のガスを排気する場合には臭気対策のため、アンモニアスクラバー４を通過したガスの一部を、脱臭装置６を介して大気開放することにより、脱臭装置の容量を小さくする。
【００３７】
第１段階のアンモニア除去システム１０１で原料をメタン発酵槽温度~80℃で高温にすることで、原料の可溶化が進み、副次的にメタン発酵の高効率化が図れる。
【００３８】
前述したように、例えば6000 mg／Ｌ程度までアンモニア除去された原料は、次に発酵槽７に送られ、嫌気性でメタン生成する働きを有する微生物を用いてメタン発酵処理に供される。メタン発酵槽７内でのメタン生成のためには、上記アンモニア濃度では未だメタン生成の阻害要因となり得るので、メタン発酵槽７の可溶化原料（メタン発酵液）の一部をメタン発酵槽外に取り出して、第２の閉鎖循環系アンモニア除去装置（アンモニア放散塔１０、アンモニアスクラバー１１）を用いて第２段階目のアンモニア除去工程が実行される。
【００３９】
本実施例では、メタン発酵槽７のメタン発酵液の一部は、ポンプ３３の駆動により、配管３４、開弁状態の弁５６、熱交換器９、加熱器８を介してアンモニア放散塔１０に供給される。この場合、メタン発酵槽の後段（凝集槽１２）に通じる弁５５と、放散塔１０の出口側とメタン発酵槽７間の戻り配管５２に設けた弁５４は閉じた状態にあり、戻り配管５２に設けたポンプ５３は、停止状態にある。熱交換器９、加熱器８の働きについては後述する。
【００４０】
第２段階アンモニア除去システム１０２に用いるアンモニア放散塔１０としては、モレタナ、充填塔、スプレーの方式が有力で、いずれでも良いが、その中でもモレタナ方式が好ましいので、ここでは、それを一例にして説明する。
【００４１】
モレタナ方式は、図３に示すように、アンモニア放散塔１０内に気液接触用の多孔の棚段４４を設けるが、多孔棚段に代えて通気性を有する充填剤を用いることも可能である。
【００４２】
メタン発酵槽７から一部取り出したメタン発酵液は、放散塔１０の下部に貯留し（符号４２で示す）、このメタン発酵液４２は、放散塔１０の上部からポンプ３５及び配管３６を介して多孔棚段４４の上面に滴下される。放散塔１０の下から塔内にアンモニアスクラバー１１側からの嫌気性雰囲気ガスが送り込まれる。この嫌気性雰囲気ガスは、第１段階のアンモニア除去システム１０１で用いたものと同様に、当初は空気であり酸素も含まれるが、閉鎖系の放散塔１０とスクラバー１１との間で循環するので、循環していくうちに炭酸ガス、アンモニアガス、水蒸気が主流となり、嫌気性雰囲気ガスとなるものである。
【００４３】
この多孔棚段４４の領域で、上方から滴下されてくるメタン発酵液が下方から送り込まれてくる嫌気性雰囲気ガスと接触（気液接触）することで、メタン発酵液の液滴表面から嫌気性雰囲気ガス（循環ガス）中にアンモニアがガス化して放散される。放散塔１０内で放散されるアンモニアガスは、循環ガス配管３８及びファン３９を介してアンモニアススクラバー１１に供給され、酸性液４３の酸性洗浄によりアンモニアガスが酸性液中に吸収されアンモニア除去が行われる。アンモニアが除去された嫌気性雰囲気ガスはスクラバー１１に戻され、既述したように気液接触（酸性液とアンモニアガスの気液接触によるアンモニアストリッピング）に供される。
【００４４】
本実施例では、アンモニアスクラバー１１もモレタナ方式を採用するものであり、多孔棚段４５がスクラバー１１の塔内に装填されている。棚段４５は、通気性充填材を使用してもよい。スクラバー１１としてはモレタナ、充填塔、スプレー方式が有効で、そのいずれでも良い。第２段階のアンモニア除去時において、ｐH調整用の薬品を使用せず、メタン発酵液のpH（7〜8付近）でアンモニア除去を行う。
【００４５】
また、第２の閉鎖循環系アンモニア放散塔１０とアンモニアスクラバー１１も、第１段階のアンモニア除去システム同様に、両者間が温度制御装置５１を介して等温(メタン発酵槽温度〜80℃)制御され、且つ両者は、気液平衡状態に保たれている（等温・気液平衡状態）。等温・気液平衡状態の利点は、第１アンモニア除去システムで述べたのと同様であるので、説明を省略する。
【００４６】
アンモニア放散塔１０に供給された発酵液４２は、（１）最終目標濃度レベル（例えば3000mg／L以下）になるまで放散塔１０と配管３６の経路で循環してアンモニア除去が行われた後、戻り配管５２を介してメタン発酵槽７に戻されるか、或いは（２）規定回数（一回以上）だけ放散塔１０と配管３６の経路で循環してアンモニア除去が行われた後、戻り配管５２を介してメタン発酵槽７に戻される。
【００４７】
アンモニア放散塔１０のメタン発酵液がメタン発酵槽７に戻される場合には、ポンプ３３を停止させ、戻り配管５２の弁５４を開き、ポンプ５３を駆動させる。この発酵液戻しの後に、弁５４を閉じ、ポンプ５３を停止させ、再度ポンプ３３を駆動させてメタン発酵槽７からアンモニア放散塔１０にメタン発酵液を供給し、その後、既述したアンモニア除去工程を行う。
【００４８】
このような一連の工程を繰り返すことにより、メタン発酵槽７のアンモニア濃度を最終目標濃度レベル（例えば3,000mg／L）以下に低減することができる。
【００４９】
また、第２段階目のアンモニア除去工程は、次の方法で連続運転するようにしても良い。即ち、メタン発酵槽７からアンモニア放散塔１０へ供給するポンプ３３は常時運転し、アンモニア放散塔１０に通じる弁５６も常時開いた状態とし、アンモニア放散塔１０からメタン発酵槽７へ供給するポンプ５３も常時運転する。そして、メタン発酵槽７の後段（凝集槽１２）に通じる弁５５は、通常、閉じた状態とし、消化液を抜き出す時だけ開くようにする。この方法によってアンモニア放散塔１０を用いた第２段階目のアンモニア除去工程の連続運転が可能となる。このような連続運転でもメタン発酵槽７のアンモニア濃度を最終目標濃度レベル（例えば3,000mg／L）以下に低減することができる。
【００５０】
本実施例では、メタン発酵槽７から閉鎖循環系アンモニア除去機構の放散塔１０へメタン発酵液を送る配管３７には、上流側から下流に熱交換器９と加熱器８とが設けられ、放散塔１０からメタン発酵槽７へメタン発酵液を戻す配管は、熱交換器９を経由してメタン発酵槽７に接続されている。第２段階のアンモニア除去システム（メタン発酵液アンモニア除去システム）１０２の熱効率向上をはかるため、メタン発酵槽７から抜き出したメタン発酵液は、再生熱交器9を経由して加熱器８を介して昇温された後に放散塔１０へ導入される。また、放散塔１０からメタン発酵槽７へ戻されるメタン発酵液は前述の再生熱交換器9にてメタン発酵槽７へ投入する温度まで下げられる。このようにすることで、アンモニア除去効率とメタン発酵槽７内の温度の上昇が抑えられる。
【００５１】
また、加熱器８及び熱交換器９で温度調節された発酵液の熱は、メタン発酵槽の温度維持に利用され、効率的なエネルギー利用を図ることができる。
【００５２】
メタン発酵液（いわゆる消化液）の一部は、メタン発酵液の含水率を適宜保つための加水として再利用されるが（消化液の発酵槽への戻しついては後述する）、消化液中にはメタン発酵時に生成されたアンモニアが含まれているため、第２の閉鎖循環系アンモニア除去システム１０２を利用してアンモニア除去が行われる。アンモニア濃度が希釈水として利用できるレベルのアンモニア濃度まで低下した後に、弁５５を開くことで、メタン発酵槽７の消化液が、固液分離装置１３を介して再利用のための水槽１６に送られる。
【００５３】
この場合、メタン発酵槽７の原料の含水率が70％以下であれば、原料により持ち込まれる水分量は、固液分離装置１７にて分離される固体残渣中に含まれる水分量とバランスし、外部へ排出される消化液の排水を極小化(ケースによっては、ほぼゼロ)することが可能となる。固液分離装置１３で分離した脱離水は、水槽１６に貯留し、再利用液としてメタン発酵槽７に戻され、再利用されない脱離液は、排水処理設備１７等を経由して、系外に排出される。脱離液をメタン発酵槽に戻してもアンモニアの濃縮を防止できるため、脱離液の再利用が図られ、排水量を低減することができる。
【００５４】
固液分離装置１３で繊維質の少ない消化液を処理した場合、固形分の回収率を向上するために、固液分離装置の前段に凝縮槽１２を設置して、高分子凝集剤、もみがら、おが屑等を投入して、固形分の回収率向上を図ってもよい。
【００５５】
固液分離装置で分離した固形物は、ホッパ攪拌機を経由して炭化炉、または堆肥化設備で処理し、炭化物または、たい肥等とする。
【００５６】
このようなメタン発酵システムによれば、
（１）メタン発酵阻害の要因となるアンモニア除去を、メタン発酵の前段階とメタン発酵段階にて、２段階アンモニア除去システムを併用することで行うので、高濃度窒素含有の有機性廃棄物を使用した場合でも、無加水或いは外部からの希釈水量を極力減らして、効率の良い（時間短縮、エネルギー消費の低減）、しかも余裕をもってアンモニア除去を実行することができ、しかも、今までメタン発酵普及に向けて大きな阻害要因であった排水量を大幅に低減することができ、実用化レベルの高濃度窒素含有の有機性廃棄物を使用したメタン生成設備を実現することができる。
【００５７】
なお、高窒素含有に限らず、低窒素含有の有機性廃棄物に適用できることはいうまでもない。
（２）さらにアンモニア除去手段として、アンモニアストリッピング方式を採用した場合であっても、閉鎖循環系による嫌気性雰囲気でのアンモニア除去を可能にするので、脱酸素手段を不要とし、設備コストの低減を図ることができる。
（３）しかもアンモニア放散塔とアンモニアスクラバーとの間を等温・気液平衡状態に保つことができるので、アンモニア除去工程において可溶化した原料の水分蒸発やアンモニア除去に用いたアンモニア搬送ガス（循環ガス）の凝縮を抑制してアンモニア除去時のエネルギー消費を抑えることができる。
（４）消化液は、メタン発酵槽へ戻して再生利用できるため、排水量を極力抑えることが可能となる。
（５）アンモニア除去工程で処理されたメタン発酵液をメタン発酵槽に戻す場合には、加熱器および再生熱交換器を用いてメタン発酵槽の温度を好ましい温度に維持できるので、メタン発酵の促進とエネルギー消費の両立を図ることができる。
【００５８】
このようなメタン発酵システムでは、メタン発酵消化液に含まれるＭＡＰが析出しやすい。ＭＡＰとはリン酸マグネシウムアンモニウムの略で、Ｍｇ２＋，ＮＨ４＋，ＰＯ４３−で構成されている。水溶液中にＭｇ２＋，ＮＨ４＋，ＰＯ４３−が共存し、各イオンの濃度の積がＭＡＰの溶解度積を超えるとＭＡＰが析出する。ＭＡＰはｐＨ7.0〜8.5付近で析出しやすく、析出したＭＡＰはスケールとなって配管の閉塞や装置の破損など機械的トラブルを起こす主要な原因となる。
【００５９】
上述の畜糞メタン発酵システムにおいて、アンモニア放散塔１０を出たメタン発酵消化液の温度は低下するが、温度が低下することでｐＨが上昇する。畜糞中にはリン酸が多く含まれており、ｐＨが上昇することで解離によりリン酸Ｈ３ＰＯ４がＨ２ＰＯ４− → ＨＰＯ４２− → ＰＯ４３−の順番にイオン化する。リン酸は畜糞中に多く含まれているので、ＰＯ４３−が多量に生成することになる。ＰＯ４３−が多量に生成することで、消化液中に元々存在するＭｇ２＋とＮＨ４＋と反応し、ＭＡＰの溶解度積を超えＭＡＰが析出することになる。また、本発明のＭＡＰ生成抑制システムを備えない場合、ＭＡＰが生成（析出）しやすい条件となる。即ち、上述のメタン発酵システムにおいて、アンモニア放散塔１０の前後のメタン発酵消化液のｐＨは7.0〜8.0程度になっており、ＭＡＰが析出しやすい条件となっている。
【００６０】
ＭＡＰが析出する原因はｐＨの上昇によるＰＯ４３−の上昇なので、それを押さえることが効果的である。そこで、本発明では、メタン発酵消化液に炭酸ガスを溶解させてｐＨ上昇を抑えてＭＡＰの析出を抑制するようにしている。
【００６１】
以下、図４〜６を用いて、本発明のＭＡＰ生成抑制システムを詳細に説明する。
【００６２】
図４に本発明のＭＡＰ生成抑制システムの第１実施例を示す。本実施例は、アンモニア放散塔１０で発生した炭酸ガスを再利用して、アンモニア放散塔１０の後段で冷却された消化液に炭酸ガスを再溶解させることによりｐＨ上昇を抑えてＭＡＰの析出を抑制するようにしたものである。
【００６３】
メタン発酵槽７の消化液は、加熱器８で40℃から70℃へ昇温されてアンモニア放散塔１０に供給される。アンモニア放散塔１０で空気と混合させることでアンモニアがガス化される。硫酸を用いたアンモニアスクラバー１１でアンモニア放散塔１０からのアンモニアガスを硫酸と反応させてアンモニアガスを硫酸に吸収させる。アンモニア放散塔１０とアンモニアスクラバー１１によって消化液中のアンモニアが除去される。
【００６４】
また、アンモニア放散塔１０では温度上昇により消化液からＣＯ２がガス化する。即ち、アンモニア放散塔１０の消化液中にはＣＯ３２−とＣＯ２ガスが含まれていて、昇温することでＣＯ２ガスが過飽和状態となり、飽和量よりも多い量は炭酸ガスとして放出される。またアンモニアを除去することでｐＨが下降するため、さらに炭酸ガスは放出されやすい状態となっている。
【００６５】
本実施例では、アンモニア放散塔１０で発生したガスを再利用するため、アンモニア放散塔１０およびアンモニアスクラバー１１では、発生した炭酸ガスが外部に漏れないように密閉構造としている。
【００６６】
アンモニア放散塔１０から消化液はポンプを駆動することにより液移送配管２０２を介して炭酸ガス溶解装置２００に移送される。また、アンモニア放散塔１０で発生した炭酸ガスを、炭酸ガス溶解装置２００に移送させるために、アンモニア放散塔１０と炭酸ガス溶解装置２００を接続するガス配管２０１が設けられている。
【００６７】
アンモニア放散塔１０を出た消化液の温度は後段の炭酸ガス溶解装置２００において低下する。アンモニア放散塔１０内の消化液は炭酸ガスが飽和状態となっているが、炭酸ガス溶解装置２００に移送され温度が下がることで炭酸ガスの溶解度が大きくなり、アンモニア放散塔１０で放出された炭酸ガスを炭酸ガス溶解装置２００において消化液に溶解させることができる。また、消化液が冷却されることでｐＨが上昇するため、さらに炭酸ガスが溶けやすい状態となっている。また、炭酸ガスを消化液に効率的に溶解させるため、配管２０３を介して炭酸ガス溶解装置２００内の消化液を循環させている。
【００６８】
また、炭酸ガス溶解装置２００を出た消化液は配管２０４を介して冷却装置３００に移送される。冷却装置で消化液を冷却することにより炭酸ガスの放出を抑えることができる。冷却装置の冷熱源としては、メタン発酵槽７から加熱器８に移送される前の消化液を冷却装置の冷媒として供給するようにしても良い。冷却装置で熱交換した消化液は加熱器８に供給され、加熱装置で用いる熱エネルギーを少なくすることができる。なお、配管２０３は冷却装置３００の出た後の配管５２に接続し、冷却装置３００で冷却した消化液の一部を炭酸ガス溶解装置２００に循環させるようにしても良い。消化液の温度がさらに下がって炭酸ガスの溶解度が大きくなり、アンモニア放散塔で放出された炭酸ガスを消化液に多く溶解させることができる。
【００６９】
炭酸ガス溶解装置２００を用いて、炭酸ガスを消化液へ溶解させることで、ｐＨが下降し、ＰＯ４３−はＨＰＯ４２− → Ｈ２ＰＯ４− → Ｈ３ＰＯ４と移り、ＰＯ４３−が減少する。従って、ＭＡＰの生成（析出）を抑制することができる。
【００７０】
ＭＡＰの発生を抑えることで、メタン発酵槽およびアンモニアストリッピングの一種であるアンモニア放散塔における機械的トラブルの主要な原因（ＭＡＰスケールの生成）が小さくなり、安定してメタン発酵の運転を実施することができる。また、スケールの除去作業の頻度を少なくすることができる。
【００７１】
また、本実施例では、アンモニア放散塔で発生した炭酸ガスを再利用しているので、ｐＨ調整するために新たな薬剤を追加することなく、ランニングコストを抑えることができる。
【００７２】
上述の実施例では、ＭＡＰ生成抑制システムを、養豚場や養鶏場から出る畜糞を原料とする畜糞メタン発酵システムに適用した場合について説明したが、畜糞以外の高窒素含有廃棄物（例えば下水汚泥）のメタン発酵システムにも適用できる。
【００７３】
図５に本発明のＭＡＰ生成抑制システムの他の実施例（実施例２）を示す。本実施例は、炭酸ガスボンベ４００から配管２０５を介して炭酸ガスを炭酸ガス溶解装置２００に供給するようにしたものである。その他は、実施例１と同様である。本実施例においてもメタン発酵消化液に炭酸ガスを溶解させているので、ｐＨが低下し、ＭＡＰ析出の要因の一つであるＰＯ４３−が減少し、その結果、ＭＡＰ析出（ＭＡＰスケール生成）を抑制することができる。
【００７４】
本実施例における炭酸ガスボンベを用いた炭酸ガス溶解装置は、メタン発酵消化液に含まれるＭＡＰ析出抑制以外に、例えば、畜糞や下水汚泥などの排水処理設備での脱窒処理に適用できる。即ち、排水処理における脱窒処理は、例えば、脱窒槽と間欠曝気槽とを組み合わせ、排水を循環させて脱窒処理されるが、曝気の際に炭酸ガスが抜けることでＭＡＰが生成しやすい。そこで、曝気槽の代わりに本実施例のＭＡＰ生成抑制システムを用い（脱窒槽と本実施例のＭＡＰ生成抑制システムを組合せ）、排水処理設備におけるＭＡＰ生成を抑制する。具体的には、図５におけるメタン発酵槽７の代わりに、排水処理設備における脱窒槽が設置され、脱窒処理排水に炭酸ガスを溶解させる。排水処理設備では、メタン発酵システムのように、アンモニア放散塔１０では、炭酸ガスが発生しないので、炭酸ガスボンベ４００を用いた炭酸ガス溶解装置が有効となる。このように排水処理設備に本実施例のＭＡＰ生成抑制システムを適用しても効果的にＭＡＰ生成を抑制することができる。
【００７５】
図６に本発明のＭＡＰ生成抑制システムの他の実施例（実施例３）を示す。本実施例は、メタン発酵槽７からのバイオガスの一部若しくは全部を炭酸ガス溶解装置２００に供給するようにしたものである。その他は、実施例１と同様である。
【００７６】
メタン発酵槽７から発生するバイオガスには約40％程度ＣＯ２が含まれている。従って、配管２０６を介してこのバイオガスを炭酸ガス溶解装置２００に送ることにより、バイオガスに含まれるＣＯ２を溶解させることができる。その結果、本実施例においてもメタン発酵消化液に炭酸ガスを溶解させているので、ｐＨが低下し、ＭＡＰ析出の要因の一つであるＰＯ４３−が減少し、その結果、ＭＡＰ析出（ＭＡＰスケール生成）を抑制することができる。
【００７７】
また、本実施例では、バイオガス中のＣＯ２が減少して相対的にメタンガス濃度が上昇する。つまり、メタンの濃縮も同時に達成するメリットがある。濃縮されたメタンは燃焼炉またはガスエンジンに供給される。
【００７８】
本実施例は、実施例１と同様に、畜糞以外の高窒素含有廃棄物のメタン発酵システムにも適用できる。
【産業上の利用可能性】
【００７９】
本発明は、養豚場や養鶏場から出る畜糞を原料とする畜糞メタン発酵システムの他に、下水汚泥の排水処理やメタン発酵、その他の廃液処理などの高リン含有汚泥処理に応用できる。
【符号の説明】
【００８０】
２…アンモニア発酵槽、３，４…第１の閉鎖循環系アンモニア除去装置（アンモニア放散塔、アンモニアスクラバー）、７…メタン発酵槽、８…加熱器、９…熱交換機、１０，１１…第２の閉鎖循環系アンモニア除去装置（アンモニア放散塔、アンモニアスクラバー）、３１…温度制御装置、５１…温度制御装置、１０１…第１段階のアンモニア除去システム、１０２…第２段階のアンモニア除去システム、２００…炭酸ガス溶解装置、３００…冷却装置、４００…炭酸ガスボンベ。
【図１】
0005797150.tif 000002
【図２】
0005797150.tif 000003
【図３】
0005797150.tif 000004
【図４】
0005797150.tif 000005
【図５】
0005797150.tif 000006
【図６】
0005797150.tif 000007